(57)【特許請求の範囲】
【請求項１】
複数の会員のそれぞれに、会員に応じた内容のポータルサイトを提供するポータルサイト提供装置であって、
前記複数の会員のそれぞれに関する，複数種類の個人属性値を含む属性情報を記憶する属性情報記憶手段と、
互いに異なる目的に対応づけられた複数のソリューションページ用ＨＴＭＬデータであって、それぞれ、対応づけられた目的を達成するために利用できる情報を含むＷｅｂサイトへのリンクを含む複数のソリューションページ用ＨＴＭＬデータを記憶し、受信した要求に応じたソリューションページ用データを当該要求の送出元に返送するソリューションページ用ＨＴＭＬデータ記憶返送手段と、
前記複数のソリューションページ用ＨＴＭＬデータのいずれかにリンクが設けられているＷｅｂサイトのそれぞれについて、前記複数種類の個人属性値のそれぞれに関する評価点からなるターゲット情報を記憶しておくための手段であると共に、各ターゲット情報の内容を変更可能な手段であるターゲット情報記憶手段と、
前記複数のソリューションページ用ＨＴＭＬデータのそれぞれについて、前記複数種類の個人属性値のそれぞれに関する数値データからなる順位付規則情報を記憶しておくための規則情報記憶手段と、
前記複数のソリューションページ用ＨＴＭＬデータのそれぞれについて、そのソリューションページ用ＨＴＭＬデータにリンクが含まれる全てのＷｅｂサイトに関する前記ターゲット情報記憶手段に記憶されているターゲット情報の評価点の平均値相当の数値データを，対応する個人情報値別に算出して、それらの数値データからなる情報を当該ソリューションページ用ＨＴＭＬデータに関する前記順位付規則情報として前記規則情報記憶手段に記憶する順位付規則情報生成手段と、
会員からのポータルサイトアクセス要求を受信したときに、前記属性情報記憶手段に記憶された当該会員に関する属性情報に基づき、前記複数のソリューションページ用ＨＴＭＬデータのそれぞれについて、そのソリューションページ用ＨＴＭＬデータに関して前記規則情報記憶手段に記憶されている順位付規則情報内の各数値データを重み係数とした、当該属性情報内の個人属性値の平均値を算出し、算出した平均値に基づき前記複数のソリューションページ用ＨＴＭＬデータの中から１つ以上のソリューションページ用ＨＴＭＬデータを特定する特定手段と、
この特定手段によって特定された各ソリューションページ用ＨＴＭＬデータへのリンクを含むナビゲーションページ用ＨＴＭＬデータを作成し、前記ポータルサイトアクセス要求の送出元に返送するナビゲーションページ用ＨＴＭＬデータ作成返送手段と、
操作者により指定されたＷｅｂサイトへのリンクを、前記ソリューションページ用ＨＴＭＬデータ記憶返送手段に記憶されている，前記操作者により指定されたソリューションページ用ＨＴＭＬデータに追加すると共に、前記操作者により指定されたターゲット情報を、前記指定されたＷｅｂサイトに関するものとして前記ターゲット情報記憶手段に追加する追加手段と
を備えることを特徴とするポータルサイト提供装置。
【発明の詳細な説明】
【０００１】
【発明の属する技術分野】
本発明は、会員にその会員の属性に応じた内容のポータルサイトを提供するポータルサイト提供装置に関する。
【０００２】
【従来の技術】
周知のように、インターネットから取得可能な極めて多くの情報の中から、所望の情報を素早く得ることができるようにするために、ポータルサイトと呼ばれる、分野別された形で、多数のＷｅｂサイトへのリンクが含まれているＷｅｂページ群が用いられている。
【０００３】
このポータルサイトには、ユーザが目的とするＷｅｂサイトを探しやすいことが望まれる。すなわち、ユーザに応じた内容のポータルサイトを提供できることが望まれ、そのようなポータルサイトも提供され始めている。
【０００４】
【発明が解決しようとする課題】
さて、ユーザに応じた内容のポータルサイトを提供するためには、ユーザの属性と、Ｗｅｂサイトの内容を何らかの形で対応づけなければならないが、従来の、ユーザに応じた内容のポータルサイトを提供しているシステムは、ポータルサイトを提供する側の者が、Ｗｅｂサイトの内容を把握してユーザの属性に対応づけるという作業を行うものとなっていた。このため、新たなＷｅｂサイトへのリンクをポータルサイトに組み込むのに長い時間が必要とされていた。
【０００５】
そこで、本発明の課題は、管理、運営が容易なポータルサイト提供装置を提供することにある。
【０００６】
【課題を解決するための手段】
本発明では、上記課題を解決するために、複数の会員のそれぞれに、会員に応じた内容のポータルサイトを提供するポータルサイト提供装置を、複数の会員のそれぞれに関する，複数種類の個人属性値を含む属性情報を記憶する属性情報記憶手段と、互いに異なる目的に対応づけられた複数のソリューションページ用ＨＴＭＬデータであって、それぞれ、対応づけられた目的を達成するために利用できる情報を含むＷｅｂサイトへのリンクを含む複数のソリューションページ用ＨＴＭＬデータを記憶し、受信した要求に応じたソリューションページ用データを当該要求の送出元に返送するソリューションページ用ＨＴＭＬデータ記憶返送手段と、複数のソリューションページ用ＨＴＭＬデータのいずれかにリンクが設けられているＷｅｂサイトのそれぞれについて、複数種類の個人属性値のそれぞれに関する評価点からなるターゲット情報を記憶しておくための手段であると共に、各ターゲット情報の内容を変更可能な手段であるターゲット情報記憶手段と、複数のソリューションページ用ＨＴＭＬデータのそれぞれについて、複数種類の個人属性値のそれぞれに関する数値データからなる順位付規則情報を記憶しておくための規則情報記憶手段と、複数のソリューションページ用ＨＴＭＬデータのそれぞれについて、そのソリューションページ用ＨＴＭＬデータにリンクが含まれる全てのＷｅｂサイトに関するターゲット情報記憶手段に記憶されているターゲット情報の評価点の平均値相当の数値データを，対応する個人情報値別に算出して、それらの数値データからなる情報を当該ソリューションページ用ＨＴＭＬデータに関する順位付規則情報として規則情報記憶手段に記憶する順位付規則情報生成手段と、会員からのポータルサイトアクセス要求を受信したときに、属性情報記憶手段に記憶された当該会員に関する属性情報に基づき、複数のソリューションページ用ＨＴＭＬデータのそれぞれについて、そのソリューションページ用ＨＴＭＬデータに関して規則情報記憶手段に記憶されている順位付規則情報内の各数値データを重み係数とした、当該属性情報内の個人属性値の平均値を算出し、算出した平均値に基づき複数のソリューションページ用ＨＴＭＬデータの中から１つ以上のソリューションページ用ＨＴＭＬデータを特定する特定手段と、この特定手段によって特定された各ソリューションページ用ＨＴＭＬデータへのリンクを含むナビゲーションページ用ＨＴＭＬデータを作成し、ポータルサイトアクセス要求の送出元に返送するナビゲーションページ用ＨＴＭＬデータ作成返送手段と、操作者により指定されたＷｅｂサイトへのリンクを、ソリューションページ用ＨＴＭＬデータ記憶返送手段に記憶されている，操作者により指定されたソリューションページ用ＨＴＭＬデータに追加すると共に、操作者により指定されたターゲット情報を、指定されたＷｅｂサイトに関するものとしてターゲット情報記憶手段に追加する追加手段とを組み合わせて構成する。
【０００７】
本発明によれば、規則情報記憶手段に記憶された規則順位付情報を変更することにより、ナビゲーションページにリンクが含まれることになるソリューションページの種類と、会員の属性との対応関係を変更することができる。また、追加手段を機能させるだけで、新たなＷｅｂサイトへのリンクをポータルページに含ませることができる。
【０００８】
従って、本発明のポータルサイト提供装置を用いれば、管理、運営が容易な形でポータルサイトを提供できることになる。
【００１１】
【発明の実施の形態】
以下、図面を参照して、本発明の実施の形態を説明する。
【００１２】
本発明の一実施形態に係るポータルサイト提供装置は、会員に対して、ナビゲーションページと、ナビゲーションページにそれらへのリンクが含まれている複数のソリューションページとを含むポータルサイトであって、その内容が当該会員の性別等の属性に応じて調整されたポータルサイトを提供する装置である。実施形態に係るポータルサイト提供装置は、複数のモデムを有するコンピュータに各種のプログラムをインストールすることによって実現されている。
【００１３】
図１に、実施形態に係るナビゲーションページ提供装置の機能ブロック図を示す。図示したように、ポータルサイト提供装置１０は、入会手続部１１、データ更新部１２、ページ作成提供部１３及び利用状況管理部１４と、それらによって参照、更新される情報を保持する情報保持部１５とからなる装置として機能する。入会手続部１１、データ更新部１２、ページ作成提供部１３及び利用状況管理部１４は独立に動作するものであり、入会手続部１１、データ更新部１２及びページ作成提供部１３は、通信回線１８を介して他コンピュータに接続され、利用状況管理部１４は、ページ作成提供部１３に接続されている。
【００１４】
情報保持部１５は、会員情報データベース２１、ソリューションページ用データ２２、ソリューション／コンテンツデータベース２３、ナビゲーションデータベース２４、利用状況データベース２５、ナビゲーションページ用ＨＴＭＬデータを作成するための雛型情報（図示せず）等を保持している。
【００１５】
会員情報データベース２１は、本装置によるポータルサイト提供サービスを受けることが出来る各ユーザ（以下、会員と表記する）に関する会員情報を記憶するデータベースである。図２に模式的に示したように、会員情報データベース２１に記憶される会員情報は、ユーザＩＤ，それぞれ、対応する属性（男性、女性等）を有するか否かを“１”或いは“０”で示すｎ種の個人属性データ，ナビゲーションページに含める情報の種類とそれらの情報の並び順を指定する配置情報等からなる。以下、この会員情報内に個人属性データが含められているｎ種の属性を、第１種ないし第ｎ種属性と表記する。
【００１６】
会員情報データベース２１への会員情報の追加は、入会手続部１１によって行われる。この入会手続部１１は、一般的なインターネットプロバイダが保有するシステムによって行われているものと同様の手順の入会手続きを行う。ただし、入会手続部１１は、その手続き中に図３に示したようなＷｅｂページを、会員となるユーザのコンピュータ（ブラウザ）に表示させる。そして、当該Ｗｅｂページに対してユーザが入力した、性別、生年月日、興味／関心がある分野に関する情報等を取得し、取得した各情報に基づき、上記したような構成の会員情報を生成して、会員情報データベース２１に登録する。
【００１７】
情報保持部１５（図１）に保持されている各ソリューションページ用データ２２は、ブラウザによってソリューションページとして表示されるＨＴＭＬドキュメントである。なお、各ソリューションページ用データ２２を、その要求元へ返送する処理は、ＷＷＷサーバとしての機能を有しているページ作成提供部１３によって行われる。
【００１８】
情報保持部１５内の各ソリューションページ用データ２２は、独自のニーズに対応づけられている。また、各ソリューションページ用データ２２は、対応づけられたニーズを解決するために利用できるＷｅｂサイトへのリンクとそのＷｅｂサイトに関する説明文とを、複数組、ブラウザに表示させるものとなっている。
【００１９】
例えば、“マーケティング情報を調べたい”というニーズに対応付けられているソリューションページ用データ２２は、ブラウザに図４に示した画像（ソリューションページ）を表示させる。この図において、下線が付してあるテキスト（“マーケットサーチ（商品・産業編）”等）がＷｅｂサイトへのリンクであり、その下に示されている文章がそのＷｅｂサイトに関する説明文である。なお、“資料を調べる”、“業界動向のレポートを探す”等は、ソリューションページにリンクが設けられているＷｅｂサイトの中から目的とする内容のＷｅｂサイトをより容易に探せるようにするために用意されている区分（以下、ソリューション区分と表記する）である。
【００２０】
すなわち、本装置においては、ニーズとソリューションページとは１対１に対応している。また、それぞれのニーズ（ソリューションページ）には、幾つかのソリューション区分が対応づけられており、各ソリューション区分には、１つ以上のＷｅｂサイトが対応づけられている。
【００２１】
情報保持部１５に保持されたソリューション／コンテンツデータベース２３には、このデータ構造を規定する情報と、いずれかのソリューションページにリンクが設けられている各Ｗｅｂサイトのアドレス（ＵＲＬ）、名称、説明文等が記憶されている。また、ソリューション／コンテンツデータベース２３には、各Ｗｅｂサイトに関するターゲット情報も記憶されている。
【００２２】
図５に模式的に示したように、ターゲット情報は、性別、年齢等の各大分類属性に関する評価点と、“男性”、“女性”等の小分類属性に関する評価点とからなる。このターゲット情報には、前述した会員情報内に個人属性データが含まれている第１種属性ないし第ｎ種属性にそれぞれ対応するｎ種の小分類属性に関する評価点が含まれている。
【００２３】
ソリューション／コンテンツデータベース２３に記憶されている、あるＷｅｂサイトに関するターゲット情報は、当該Ｗｅｂサイトがターゲットとしているユーザが有している属性に対して高い評価点が設定されたものとなっている。すなわち、男性を主なターゲットとしているＷｅｂサイトに対しては、男性属性評価点が女性属性評価点よりも高いターゲット情報が記憶されている。また、性別によらず、特定の年齢層をターゲットとしているＷｅｂサイトに対しては、性別属性評価点が他の大分類属性評価点よりも低く設定されたターゲット情報（あるいは、男性属性評価点と女性属性評価点とが等しいターゲット情報）が記憶されている。
【００２４】
以下、ターゲット情報の用途、ナビゲーションデータベース２４の内容、データ更新部１２の動作を併せて説明する。
【００２５】
データ更新部１２は、新たなＷｅｂサイトへのリンクをソリューションページに追加するリンク追加処理、既存のターゲット情報の内容を変更するターゲット情報変更処理、ナビゲーションデータベース２４の内容を変更するナビゲーションデータベース変更処理等を行う機能を有する。
【００２６】
データ更新部１２は、各処理を、通信回線１８を介して接続されたコンピュータから、各処理に対して予め定められている内容の情報（処理の実行指示）が送信されてきたときに実行する。
【００２７】
まず、図６に示した流れ図を用いて、リンク追加処理時のデータ更新部１２の動作を説明する。
【００２８】
リンク追加処理開始時、データ更新部１２は、リンクを追加すべきＷｅｂサイト（以下、処理対象Ｗｅｂサイトと表記する）のアドレス、名称、内容の説明文、ターゲット情報、どのニーズ（ソリューションページ）のどのソリューション区分にリンクを追加するかを指定する追加位置指定情報等を設定者（リンク追加処理の実行を指示した者）から取得する（ステップＳ１０１）。
【００２９】
次いで、データ更新部１２は、取得した各種情報に基づき、ソリューション／コンテンツデータベース２３の内容を更新する（ステップＳ１０２）。そして、データ更新部１２は、追加位置指定情報によって指定されるニーズである処理対象ニーズに関するソリューションページ用データ２１を、追加位置指定情報によって指定されるソリューション区分内に処理対象Ｗｅｂサイトへのリンク及びその説明文が表示されるものとなるように修正する（ステップＳ１０３）。
【００３０】
その後、データ更新部１２は、ソリューション／コンテンツデータベース２３から、内容修正を行ったソリューションページ用データ２２内にリンクが設けられている全てのＷｅｂサイトに関するターゲット情報を取得する（ステップＳ１０４）。そして、データ更新部１２は、取得したターゲット情報に基づき、処理対象ニーズに関する、ｎ個の数値データからなるニーズ点算出用情報を生成する（ステップＳ１０５）。
【００３１】
このステップＳ１０５では、まず、各ターゲット情報に対して、大分類属性評価点の規格化、並びに、小分類属性評価点の大分類単位での規格化が行われる。
【００３２】
具体的には、各大分類下の小分類に関する評価点の和が“１００”となるように、大分類毎に、その配下の各小分類に関する評価点に対して同じ比例係数がかけられる。また、大分類の評価点の和が“１００”となるように、各大分類の評価点に対して同じ比例係数がかけられる。
【００３３】
例えば、規格化すべきターゲット情報が、図５に示したもの（男性に評価点“３”、女性に評価点“２”が設定されているもの）であった場合、性別という大分類下の各小分類に関する評価点には、それらの和を１００とするために、比例係数“１００／（３＋２）”がかけられる。すなわち、男性、女性に関する評価点は、それぞれ、４０、６０となる。また、図５に示したターゲット情報の各大分類に関する評価点の総和が“２０”であったと仮定すると、各大分類の評価点に、“１００／２０”がかけられることになるので、大分類“性別”に関する規格化後の評価点は、２０（＝４ｘ１００／２０）となる。
【００３４】
この後、ステップＳ１０５では、各ターゲット情報の、各小分類に関する評価点に、その小分類が属する大分類の評価点と１／１００とがかけられる。
【００３５】
すなわち、上記したケースのように、規格化が終わった時点における大分類“性別”に関する評価点が２０であり、男性、女性に関する評価点が、それぞれ、４０、６０であった場合には、男性、女性に関する評価点として、それぞれ、８（＝２０ｘ４０／１００）、１２（＝２０ｘ６０／１００）が算出される。
【００３６】
その後、ステップＳ１０５では、各ターゲット情報に対してえられた評価点に基づき、各小分類に関する評価点の平均値が算出される。そして、算出されたｎ個の平均値からなる情報がニーズ点算出情報とされる。
【００３７】
このようにしてニーズ点算出情報を生成した後、データ更新部１２は、生成したニーズ点算出用情報を、処理対象ニーズに関するものとしてナビゲーションデータベースに記憶（ステップＳ１０６）し、リンク追加処理を終了する。なお、書き換えが行われるニーズ点算出用情報が直接的に書きかえられたものであった場合（詳細は後述）、このステップの前に、書き換えを行って良いかを設定者に問い合わせる処理が行われ、書き換えを行って良いとされた場合にのみ、ステップＳ１０６が実行される。
【００３８】
次に、図７を用いて、ターゲット情報変更処理の説明を行う。このターゲット情報変更処理は、Ｗｅｂサイトの内容が変わった場合や、不適当なターゲット情報を設定していた場合などに実行が指示されるものである。
【００３９】
図示したように、ターゲット情報変更処理時、データ更新部１２は、ターゲット情報を設定者から取得する（ステップＳ２０１）。このステップにおいて、データ更新部１２は、ターゲット情報がいずれのＷｅｂサイトのものであるかを指定する情報も取得する。そして、データ更新部１２は、取得した情報に基づき、ソリューション／コンテンツデータベース２３の内容を更新する（ステップＳ２０２）。次いで、データ更新部１２は、ソリューション／コンテンツデータベース２３を参照することにより、ターゲット情報が変更されたＷｅｂページへのリンクが設けられているソリューションページ用データ（処理対象ニーズ）を特定する（ステップＳ２０３）。そして、特定したソリューションページ用データにリンクが含まれているＷｅｂサイトに関するターゲット情報を、ソリューション／コンテンツデータベース２３から取得する（ステップＳ２０４）。その後、ステップＳ１０５、１０６と同じ内容の処理を実行（ステップＳ２０５、２０６）し、ターゲット情報変更処理を終了する。
【００４０】
なお、ステップＳ２０３において、複数個のソリューションページ用データが特定された場合、ステップＳ２０４及びＳ２０５の処理が、特定された各データに対して行われ、ステップＳ２０６では、生成された複数個のニーズ点算出用情報がナビゲーションデータベースに記憶される。
【００４１】
ナビゲーションデータベース変更処理の説明を行う前に、図８、９を用いて、ページ生成返送部１３が、ナビゲーションページへのアクセスが会員によって行われたときに実行する処理であるナビゲーションページ作成返送処理の説明を行うことにする。なお、図８は、ナビゲーションページ作成返送処理の流れ図であり、図９は、ブラウザに表示されるナビゲーションページの一例を示した図である。
【００４２】
ある会員がナビゲーションページにアクセスしてきた際、ぺージ作成提供部１３は、図８に示してあるように、まず、会員情報データベース２１から、当該会員に関する会員情報（個人属性データ、配置情報等）を取得する（ステップＳ３０１）。次いで、各ニーズに対して、そのニーズに関するニーズ点算出用情報の各要素を重み係数とした個人属性データの重み付き平均であるニーズ点を求める（ステップＳ３０２）。そして、ページ作成提供部１３は、得られたニーズ点が最も高い１０個のニーズを特定（ステップＳ３０３）し、特定したニーズに対応づけられたソリューションページへのリンクを含む、配置情報に応じた情報が配置されたナビゲーションページ用ＨＴＭＬデータを作成する（ステップＳ３０４）。このステップＳ３０４において作成されるナビゲーションページ用ＨＴＭＬデータは、図９に示したように、“パーソナルナビ”とタイトルが付けられた領域（点線枠内の領域）内にソリューションページへのリンクが設けられた有するものである。その後、ページ作成提供部１３は、作成したＨＴＭＬデータを要求元に返送（ステップＳ３０４）して、ナビゲーションページ作成返送処理を終了する。
【００４３】
このように、本装置では、会員の属性に関する情報と、ナビゲーションデータベースに記憶されているニーズ点算出用情報とに基づき、ナビゲーションページ内に、いずれのソリューションページへのリンクを設けるかが決定される。そして、ニーズ点算出用情報は、ターゲット情報に基づき生成されているため、ターゲット情報の内容が不適当なものであった場合、“パーソナルナビ”の内容が会員に適したものとならないことになる。
【００４４】
このようなことを防止するため（“パーソナルナビ”の内容が会員に適したものとなるように調整が行えるようにするため）、本ポータルサイト提供装置１０では、データ生成提供部１３に、既に説明を行ったターゲット情報変更処理とは別にナビゲーションデータベース変更処理を実行する機能が付与されており、利用状況管理部１４が設けられている。
【００４５】
すなわち、利用状況管理部１４は、データ生成提供部１３と情報交換を行うことにより、各会員が行ったアクセスに関する情報（どのソリューションページを経てどのＷｅｂサイトにアクセスしたかに関する情報）を得て，それらを利用状況データベース２５に記憶する。
【００４６】
そして、ナビゲーションデータベース変更処理を実行中のデータ更新部１３は、操作者（ナビゲーションデータベース変更処理の実行を指示したもの）の指示に応じて、例えば、あるソリューションページに関する利用状況を利用状況データベース２５から取得するとともに、そのソリューションページに関するニーズ点算出情報、ターゲット情報を、それぞれ、ナビゲーションデータベース２４、ソリューションデータベース２３から取得して、取得した各情報を返送処理を実行している操作者に通知する（操作者が用いているコンピュータの画面に表示させる）処理を行う。なお、この処理時に操作者に通知されるターゲット情報は、規格化が行われたもの（大分類、小分類の規格化された評価点をかけ合わせる前段階のもの）である。評価点をかけ合わせる前段階の評価点を表示させているのは、このようにしておいた方が、全体的な傾向がわかりやすいからである。
【００４７】
そして、ナビゲーションデータベース変更処理を実行中のデータ更新部１３は、ターゲット情報の変更が指示された場合には、既に説明を行ったターゲット情報変更処理と同じ処理を行う。また、あるニーズ点数情報の変更が指示された場合には、そのニーズ点数情報の内容を直接書きかえるとともに、その旨をナビゲーションデータベースに記憶する。
【００４８】
以上、説明したように、実施形態に係るポータルサイト提供装置１０においては、ナビゲーションページにどのソリューションページへのリンクを含めるかが、会員の属性に関する情報と、ナビゲーションデータベース２４内のニーズ点算出用情報とに基づき定められている。また、Ｗｅｂサイトへのリンクを含めるソリューションページは、Ｗｅｂサイトの内容と、ソリューションページに対応づけられたニーズとの関係によって定められている。すなわち、ポータルサイト提供装置１０は、会員属性とニーズ（ソリューションページ）との対応関係、ソリューションページとＷｅｂサイトとの対応関係とを、独立して設定できる装置となっている。従って、本装置を用いれば、Ｗｅｂサイトの内容が変更された場合や、新たなＷｅｂサイトを会員に紹介しなければならなくなった場合の対処が容易に、素早く行えることになる。
【００４９】
【発明の効果】
本発明によれば、容易に管理、運営ができるポータルサイト提供装置が得られることになる。
【図面の簡単な説明】
【図１】本発明の一実施形態に係るポータルサイト提供装置の機能ブロック図である。
【図２】実施形態のポータルサイト提供装置が備える会員情報データベースの説明図である。
【図３】会員情報を入力するために使用されるＷｅｂページの説明図である。
【図４】実施形態に係るポータルサイト提供装置によって提供されるソリューションページの説明図である。
【図５】実施形態に係るポータルサイト提供装置が備えるソリューション／コンテンツデータベースに記憶されるターゲット情報の説明図である。
【図６】ポータルサイト提供装置において実行されるリンク追加処理の流れ図である。
【図７】ポータルサイト提供装置において実行されるターゲット情報変更処理の流れ図である。
【図８】ポータルサイト提供装置において実行されるナビゲーションページ作成返送処理の流れ図である。
【図９】  実施形態に係るポータルサイト提供装置によって提供されるナビゲーションページの説明図である。
【符号の説明】
１０  ポータルサイト提供装置
１１  入会手続部
１２  データ更新部
１３  ページ作成提供部
１４  利用状況管理部
１５  利用状況データベース
２１  会員情報データベース
２２  ソリューションページ用データ
２３  ソリューション／コンテンツデータベース
２４  ナビゲーションデータベース
２５  利用状況データベース
【図１】
0003663595.tif 000002
【図２】
0003663595.tif 000003
【図３】
0003663595.tif 000004
【図４】
0003663595.tif 000005
【図５】
0003663595.tif 000006
【図６】
0003663595.tif 000007
【図７】
0003663595.tif 000008
【図８】
0003663595.tif 000009
【図９】
0003663595.tif 000010